(57)【要約】【課題】複製元であるＲＦＩＤ両面原稿と複製物であるＲＦＩＤ用紙との間で整合性を確保し易い複写機を提供すること。【解決手段】複写機は，記憶媒体付き原稿の複製が指示された際には，その原稿の両面に画像があるか否かを判断する。そして，原稿の両面に画像がある場合には，（Ａ）原稿の両面の画像を用紙の両面に形成し，その用紙の記憶媒体には，その原稿の記憶媒体のデータと同一のデータを書き込む，（Ｂ）原稿の表面の画像と裏面の画像とをそれぞれ別の用紙に形成し，各用紙の記憶媒体には，その原稿の記憶媒体のデータと同一のデータを書き込む，（Ｃ）原稿の表面の画像と裏面の画像とをそれぞれ別の用紙に形成し，各用紙の記憶媒体には，互いの記憶媒体に書き込まれたデータを補完することでその原稿の記憶媒体のデータと同一のデータとなるように書き込む，のうちのいずれかを実行する。【選択図】            図１０
2010145853.tif 000002
【特許請求の範囲】
【請求項１】
原稿の両面の画像を読み取る読取手段と，
前記読取手段にて読み取った画像を用紙上に形成する形成手段と，
原稿に添付された記憶媒体のデータを取得する取得手段と，
前記取得手段にて取得したデータの少なくとも一部を，用紙に添付された記憶媒体に書き込む書込手段と，
前記取得手段によって原稿の記憶媒体からデータを取得し，前記書込手段によってそのデータを少なくとも１枚の用紙の記憶媒体に書き込む動作である複製が指示された際に，その原稿の両面に画像があるか否かを判断する判断手段と，
前記判断手段が原稿の両面に画像があると判断した場合に，
（Ａ）原稿の両面の画像を用紙の両面に形成し，その用紙の記憶媒体には，その原稿の記憶媒体のデータと同一のデータを書き込む，
（Ｂ）原稿の表面の画像と裏面の画像とをそれぞれ別の用紙に形成し，各用紙の記憶媒体には，その原稿の記憶媒体のデータと同一のデータを書き込む，
（Ｃ）原稿の表面の画像と裏面の画像とをそれぞれ別の用紙に形成し，各用紙の記憶媒体には，互いの記憶媒体に書き込まれたデータを補完することでその原稿の記憶媒体のデータと同一のデータとなるように書き込む，
の３つの動作態様（Ａ），（Ｂ），（Ｃ）のうちのいずれかを実行するように前記形成手段および前記書込手段を制御する制御手段とを備えることを特徴とする複写機。
【請求項２】
請求項１に記載する複写機において，
前記制御手段は，少なくとも動作態様（Ａ）の実行が可能であり，原稿の記憶媒体に所定の条件を満たす情報が記憶されている場合には，前記動作態様（Ａ）を実行することを特徴とする複写機。
【請求項３】
請求項１または請求項２に記載する複写機において，
前記制御手段の前記動作態様（Ｃ）では，各用紙の記憶媒体に書き込まれるデータに重複がないことを特徴とする複写機。
【請求項４】
請求項１から請求項３のいずれか１つに記載する複写機において，
前記制御手段の前記動作態様（Ｃ）では，一方の用紙の記憶媒体には他方の用紙の記憶媒体の存在を示す情報を書き込むことを特徴とする複写機。
【請求項５】
請求項１から請求項４のいずれか１つに記載する複写機において，
前記制御手段の前記動作態様（Ｃ）では，表面に対応するデータと裏面に対応するデータとを特定し，表面に対応するデータを表面の画像を形成した用紙の記憶媒体に書き込み，裏面に対応するデータを裏面の画像を形成した用紙の記憶媒体に書き込むことを特徴とする複写機。
【請求項６】
請求項１から請求項５のいずれか１つに記載する複写機において，
前記制御手段は，前記動作態様（Ａ），（Ｂ），（Ｃ）の少なくとも２つの動作態様が実行可能であり，どの動作態様を実行するかの選択肢を登録し，その登録内容に従って動作を行うことを特徴とする複写機。
【請求項７】
請求項１から請求項６のいずれか１つに記載する複写機において，
原稿の画像の読み取り前にその原稿に記憶媒体があるか否かを判断し，記憶媒体がある場合にはその原稿の読取動作を両面読み取りに制限することを特徴とする複写機。
【発明の詳細な説明】
【技術分野】
【０００１】
本発明は，ＲＦＩＤ（Radio Frequency IDentification）タグ等の記憶媒体にアクセス可能な複写機に関する。さらに詳細には，記憶媒体（以下，便宜上「ＲＦＩＤタグ」と称する）が添付された原稿（以下，便宜上「ＲＦＩＤ原稿」と称する）を複製する機能を有する複写機に関するものである。
【背景技術】
【０００２】
従来から，ユーザ情報や画像情報等をＲＦＩＤタグに記憶したＲＦＩＤ原稿の利用が検討されている。ＲＦＩＤ原稿は，その性質上，ＲＦＩＤタグに記憶されたデータと用紙上の画像とが対応付けられていることが多く，また記憶されるデータや画像の重要度が高い傾向にある。ＲＦＩＤタグにアクセス可能な複写機に関連する技術としては，例えば特許文献１に，ＲＦＩＤ原稿のうち，用紙上に形成された画像と，その用紙に添付されたＲＦＩＤタグ内のデータとの双方を，ＲＦＩＤタグが添付された用紙に複製する技術が開示されている。
【特許文献１】特開２００２−３３７４２６号公報
【発明の開示】
【発明が解決しようとする課題】
【０００３】
しかしながら，前記した従来の複写機には，次のような問題があった。すなわち，ＲＦＩＤ原稿は，両面に画像が形成されていることもある。このような両面に画像が形成されたＲＦＩＤ原稿（以下，便宜上「ＲＦＩＤ両面原稿」と称する）を，ＲＦＩＤタグが添付された用紙（以下，便宜上「ＲＦＩＤ用紙」と称する）に正しく複製できないことがある。例えば，ＲＦＩＤ両面原稿を複製する場合には，両面読み取りを指示する必要がある。しかし，ＲＦＩＤ両面原稿の複製の際に片面コピーを指示してしまうと，ＲＦＩＤタグには両面分のデータが複製されるにもかかわらず，画像は一方の面のみの複製となってしまい，他方の面の画像が失われた状態になってしまう。つまり，従来の複写機によるＲＦＩＤ両面原稿の複製では，データが欠落し，複製元であるＲＦＩＤ両面原稿と複製物であるＲＦＩＤ用紙との間で整合性が確保できないおそれがある。
【０００４】
本発明は，前記した従来の複写機が有する問題点を解決するためになされたものである。すなわちその課題とするところは，複製元であるＲＦＩＤ両面原稿と複製物であるＲＦＩＤ用紙との間で整合性を確保し易い複写機を提供することにある。
【課題を解決するための手段】
【０００５】
この課題の解決を目的としてなされた複写機は，原稿の両面の画像を読み取る読取手段と，読取手段にて読み取った画像を用紙上に形成する形成手段と，原稿に添付された記憶媒体のデータを取得する取得手段と，取得手段にて取得したデータの少なくとも一部を，用紙に添付された記憶媒体に書き込む書込手段と，取得手段によって原稿の記憶媒体からデータを取得し，書込手段によってそのデータを少なくとも１枚の用紙の記憶媒体に書き込む動作である複製が指示された際に，その原稿の両面に画像があるか否かを判断する判断手段と，判断手段が原稿の両面に画像があると判断した場合に，（Ａ）原稿の両面の画像を用紙の両面に形成し，その用紙の記憶媒体には，その原稿の記憶媒体のデータと同一のデータを書き込む，（Ｂ）原稿の表面の画像と裏面の画像とをそれぞれ別の用紙に形成し，各用紙の記憶媒体には，その原稿の記憶媒体のデータと同一のデータを書き込む，（Ｃ）原稿の表面の画像と裏面の画像とをそれぞれ別の用紙に形成し，各用紙の記憶媒体には，互いの記憶媒体に書き込まれたデータを補完することでその原稿の記憶媒体のデータと同一のデータとなるように書き込む，の３つの動作態様（Ａ），（Ｂ），（Ｃ）のうちのいずれかを実行するように形成手段および書込手段を制御する制御手段とを備えることを特徴としている。
【０００６】
本発明の複写機は，原稿の記憶媒体（例えば，ＲＦＩＤタグ）からデータを取得し，そのデータを少なくとも１枚の用紙の記憶媒体に書き込む処理である記録媒体のデータ複製機能を有している。複製の指示は，ユーザの操作によるものの他，例えば記憶媒体に複製指示が記憶されており，その指示を読み取ったものであってもよい。複製が指示された際には，原稿の両面に画像があるか否かを判断する。そして，原稿の両面に画像がある場合には，上記３つの動作態様（Ａ），（Ｂ），（Ｃ）のうちのいずれかを実行する。各動作態様は，いずれも記録媒体付き原稿の複製の動作態様であり，原稿の画像および記憶媒体のデータが，１枚の用紙に複製あるいは複数枚の用紙に分けて複製される。
【０００７】
すなわち，本発明の複写機は，記憶媒体の複製指示があった場合には，まず，原稿の両面に画像があるか否かを判断する。そして，両面に画像があると判断した場合には，上記動作態様（Ａ），（Ｂ），（Ｃ）のうちのいずれかを実行する。これらの動作態様では，原稿の両面画像を，１枚の用紙の両面あるいは２枚の用紙の片面ずつに分けて形成し，原稿の記憶媒体のデータを，１枚の用紙あるいは２枚の用紙に書き込む。このことから，画像のデータと記憶媒体のデータとの両方が記憶された出力物を確実に得られる。つまり，動作態様（Ａ）は，原稿と同じ情報を有するものが出力される完全複製であるから原稿のデータは失われない。動作態様（Ｂ），（Ｃ）は，２枚の用紙に分かれてしまい，用紙ごとの情報は不完全であるが，２枚の用紙を合わせて画像のデータと記憶媒体のデータとをすべて入手することになる。これにより，原稿のデータを失うことなく，信頼性が高い複製処理を実現できる。
【０００８】
また，本発明の複写機の制御手段は，少なくとも動作態様（Ａ）の実行が可能であり，原稿の記憶媒体に所定の条件を満たす情報が記憶されている場合には，動作態様（Ａ）を実行するとよりよい。つまり，例えば，重要度が高いと見なされる原稿については，あらかじめ記憶媒体に所定の情報を記憶することで，動作態様（Ａ）による複製を実行する。例えば，重要度が高いことを示す情報（例えば，「完全複製」の文字列）が記憶媒体に書き込まれている場合には，動作態様（Ｂ），（Ｃ）の実行を制限し，動作態様（Ａ）のみを実行する。動作態様（Ａ）は，動作態様（Ｂ），（Ｃ）と異なり，原稿の情報（画像および記憶媒体のデータ）が１枚の用紙に完全複製される。そのため，他面の紛失等によってデータが不完全になることはなく，管理が容易である。
【０００９】
また，制御手段の動作態様（Ｃ）では，各用紙の記憶媒体に書き込まれるデータに重複がないとよりよい。すなわち，記憶媒体のデータを分割して記憶する場合には，データを重複させて記憶することも考えられるが，データを重複なく記憶することで，各記憶媒体に書き込まれるデータを少量化できる。
【００１０】
また，制御手段の前記動作態様（Ｃ）では，一方の用紙の記憶媒体には他方の用紙の記憶媒体の存在を示す情報を書き込むとよりよい。例えば，データの前半部分が記憶された記憶媒体には，「前半」の文字列を記憶することで，他の記憶媒体の存在を示すことができる。また，互いの記憶媒体に，共通の認識記号を記憶してもよい。このような情報を書き込むことで，データが分割されていることを認識できる。
【００１１】
また，制御手段の前記動作態様（Ｃ）では，表面に対応するデータと裏面に対応するデータとを特定し，表面に対応するデータを表面の画像を形成した用紙の記憶媒体に書き込み，裏面に対応するデータを裏面の画像を形成した用紙の記憶媒体に書き込むとよりよい。すなわち，用紙の記憶媒体に，その用紙の画像に適切なデータを書き込むことで，そのデータの使い勝手がよい。
【００１２】
また，本発明の複写機の制御手段は，動作態様（Ａ），（Ｂ），（Ｃ）の少なくとも２つの動作態様が実行可能であり，どの動作態様を実行するかの選択肢を登録し，その登録内容に従って動作を行うとよりよい。すなわち，動作態様を登録することで，複製を指示する度に選択する必要がない。よって，複製指示の際の，動作態様の設定の手間を省くことができる。
【００１３】
また，本発明の複写機は，原稿の画像の読み取り前にその原稿に記憶媒体があるか否かを判断し，記憶媒体がある場合にはその原稿の読取動作を両面読み取りに制限するとよりよい。すなわち，記憶媒体が添付されている原稿は，重要度が高い傾向にある。そこで，そのような原稿に添付された記憶媒体のデータの複製では，両面読み取りを行う。これにより，データの適正な管理を期待できる。
【発明の効果】
【００１４】
本発明によれば，複製元であるＲＦＩＤ両面原稿と複製物であるＲＦＩＤ用紙との間で整合性を確保し易い複写機が実現される。
【発明を実施するための最良の形態】
【００１５】
以下，本発明にかかる印刷装置を具体化した実施の形態について，添付図面を参照しつつ詳細に説明する。本形態は，ＲＦＩＤタグにアクセス可能であり，原稿に添付されたＲＦＩＤタグからデータを取得し，そのデータを用紙に添付されたＲＦＩＤタグに書き込む複製機能を有する複合機（ＭＦＰ：Multi Function Peripheral ）に本発明を適用したものである。
【００１６】
［ＭＦＰの全体構成］
実施の形態のＭＦＰ１００は，図１に示すように，用紙に画像を印刷する画像形成部１０（形成手段の一例）と，原稿の画像を読み取る画像読取部２０（読取手段の一例）とを備えている。また，画像読取部２０の前面側には，液晶ディスプレイからなる表示部４１と，スタートキー，ストップキー，テンキー等から構成されるボタン群４２とを備えた操作パネル４０が設けられ，この操作パネル４０により動作状況の表示やユーザによる入力操作が可能になっている。
【００１７】
［画像読取部の構成］
画像読取部２０は，原稿を読み取って画像データを作成する。具体的に本形態の画像読取部２０は，図２に示すように，原稿の画像を読み取るスキャナ部２１と，原稿の自動搬送を行うＡＤＦ（Auto Document Feeder：自動原稿供給装置）２２とを備えている。スキャナ部２１は，その上面に位置する透明なプラテンガラス２３，２４と，その内部に位置するイメージセンサ２５とを備えている。
【００１８】
ＡＤＦ２２は，読み取り前の原稿を載置する原稿トレイ２２１と，読み取り後の原稿を載置する排出トレイ２２２とを備えている。具体的に，原稿トレイ２２１は，排出トレイ２２２の上方に配設されている。そして，ＡＤＦ２２は，原稿トレイ２２１に載置された原稿を１枚ずつ取り出し，その原稿の読み取りが行われた後，その原稿を排出トレイ２２２上に排出する。また，ＡＤＦ２２は，スキャナ部２１の上方を開閉可能に覆い，プラテンガラス２３，２４を含む原稿載置台２６上に載置された原稿に対する原稿押さえカバーとしての機能も兼ねる。
【００１９】
原稿の読取方式としては，フラットベッド（原稿固定走査）方式と，ＡＤＦ（原稿移動走査）方式とがある。フラットベッド方式の場合，原稿を１枚ずつプラテンガラス２４（以下，「ＦＢガラス２４」とする）上に載置する。その状態で，イメージセンサ２５が副走査方向（主走査方向に直交方向，図２の矢印Ａ方向）に移動し，その際に主走査方向に１ラインずつ原稿の画像が読み取られる。一方，ＡＤＦ方式の場合，原稿を纏めて原稿トレイ２２１に載置する。そして，イメージセンサ２５がプラテンガラス２３（以下，「ＡＤＦガラス２３」とする）に対向する位置に移動し，固定される。その状態で，原稿がＡＤＦガラス２３に対向する位置（読取位置）に搬送され，その際に主走査方向に１ラインずつ原稿の画像が読み取られる。
【００２０】
続いて，ＡＤＦ２２について詳説する。ＡＤＦ２２の内部には，各種のローラよって原稿トレイ２２１と排出トレイ２２２とを連結する略Ｕ字形状の搬送路２７が設けられている。具体的に，ＡＤＦ２２の搬送路２７は，原稿トレイ２２１からＡＤＦ２２内に取り込まれ，幾つものローラを経由してＵターンし，ＡＤＦガラス２３上を通って排出トレイ２２２に向かう経路を構成している。そして，ＡＤＦガラス２３上の通過時に，原稿の画像が読み取られる。
【００２１】
さらに，ＡＤＦ２２内には，原稿の両面の画像の読み取りを行うための両面読取機構が備えられている。図２中の搬送路２８は，一方の面の画像読み取りが行われた原稿の，他方の面にも画像読み取りが行われるように，原稿を反転してＡＤＦガラス２３に再搬送するための搬送経路である。また，ＡＤＦ２２のケースに設けられたスリット２９は，原稿の一部をＡＤＦ２２外に送り出し，原稿を反転させるために設けられている。
【００２２】
具体的に，ＡＤＦ２２の内部には，スイッチバックローラ２８１と，第１案内フラップ２８２と，第２案内フラップ２８３とが設けられ，搬送路２８を構成している。すなわち，搬送路２８は，第１案内フラップ２８２から第２案内フラップ２８３を経由してスイッチバックローラ２８１に向かう経路になる。
【００２３】
ＡＤＦ２２による両面読み取りでは，原稿トレイ２２１から送り出され，各種のローラを経由し，読取位置にて表面の画像が読み取られる。その後，原稿を，第１案内フラップ２８２によって搬送路２８に案内し，第２案内フラップ２８３を経由してスイッチバックローラ２８１まで搬送する。そして，スイッチバックローラ２８１にて，原稿の搬送方向を反転させる。このとき，第１案内フラップ２８２および第２案内フラップ２８３の向きを切り換える。そして，原稿は，第２案内フラップ２８３にて再び搬送路２７に搬送され，読取位置まで導かれて裏面の画像が読み取られる。これにより，原稿は，表裏が反転され，裏面の画像が読み取られることになる。その後，原稿は，第１案内フラップ２８２を経由して排紙ローラ２７４から排出トレイ２２２に排出される。
【００２４】
また，ＡＤＦ２２は，所定範囲内に存在するＲＦＩＤタグを検知し，そのＲＦＩＤタグに対してデータの読み出しおよび書き込みを行うことが可能なＲ／Ｗ装置５１（取得手段の一例）を備えている。Ｒ／Ｗ装置５１は，ＲＦＩＤ原稿が原稿トレイ２２１上に載置された場合に，そのＲＦＩＤタグにアクセス可能な範囲に配置される。
【００２５】
［画像形成部の構成］
画像形成部１０は，パーソナルコンピュータ（ＰＣ）等の情報端末装置から送られてくる画像データや画像読取部２０で読み取った原稿の画像データを基に画像を形成し，当該画像を用紙に印刷する。本形態の画像形成部１０は，周知の電子写真方式によって画像を形成するものであり，図３に示すように，画像を形成するプロセス部５０と，未定着のトナー像を定着させる定着装置８と，画像形成前の用紙を載置する給紙カセット９１と，画像形成後の用紙を載置する排紙トレイ９２とを備えている。
【００２６】
画像形成部１０内には，底部に位置する給紙カセット９１に収容された用紙が，給紙ローラ７３，プロセス部５０，定着装置８を通り，排紙ローラ７４を介して上部の排紙トレイ９２への導かれるように，略Ｓ字形状の搬送経路７１が設けられている。すなわち，画像形成部１０は，給紙カセット９１に載置されている用紙を１枚ずつ取り出し，その用紙をプロセス部５０に搬送し，プロセス部５０にて形成されたトナー像をその用紙に転写する。さらに，トナー像が転写された用紙を定着装置８に搬送し，トナー像をその用紙に熱定着させる。そして，定着後の用紙を排紙トレイ９２に排出する。
【００２７】
プロセス部５０は，感光体１と，感光体１の表面を一様に帯電する帯電装置２と，感光体１の表面に光を照射して静電潜像を形成する露光装置３と，静電潜像に対してトナーによる現像を行う現像装置４と，感光体１上のトナー像を用紙に転写させる転写装置５と，感光体１上の残留トナーを除去するクリーニングブレード６とを有している。
【００２８】
プロセス部５０では，感光体１の表面が帯電装置２によって一様に帯電される。その後，露光装置３からの光により露光され，用紙に形成すべき画像の静電潜像が形成される。次いで，現像装置４を介して，トナーが感光体１に供給される。これにより，感光体１上の静電潜像は，トナー像として可視像化される。
【００２９】
さらに，画像形成部１０内には，用紙の両面に印刷を行うための両面印刷機構が備えられている。図３中の搬送路７２は，一方の面に印刷が行われた用紙の，他方の面にも印刷が行われるように，用紙を反転してプロセス部５０に再搬送するための搬送経路である。
【００３０】
画像形成部１０による両面印刷では，表面の搬送路（正搬送路）である搬送路７１を経由して表面に画像形成された用紙を排紙ローラ７４で停止させ，用紙の搬送方向を反転させる。そして，その用紙を排紙ローラ７４から再搬送路である搬送路７２に搬送し，プロセス部５０と給紙カセット９１との間の位置を通過させ，再度プロセス部５０まで導く。これにより，用紙の表裏が反転され，裏面に画像形成されることになる。
【００３１】
また，画像形成部１０は，所定範囲内に存在するＲＦＩＤタグを検知し，そのＲＦＩＤタグに対してデータの読み出しおよび書き込みを行うことが可能なＲ／Ｗ装置５２（書込手段の一例）を備えている。Ｒ／Ｗ装置５２は，ＲＦＩＤ用紙が搬送路７１，７２上に搬送された場合に，そのＲＦＩＤタグにアクセス可能な範囲に配置される。
【００３２】
［ＭＦＰの電気的構成］
続いて，ＭＦＰ１００の電気的構成について説明する。ＭＦＰ１００は，図４に示すように，ＣＰＵ３１と，ＲＯＭ３２と，ＲＡＭ３３と，ＮＶＲＡＭ３４と，ＡＳＩＣ３５と，ネットワークインタフェース３６と，ＦＡＸインタフェース３７とを備えた制御部３０を有している。
【００３３】
ＣＰＵ３１は，ＭＦＰ１００における画像読取機能，画像形成機能等の各種機能を実現するための演算を実行し，制御の中枢となるものである。ＲＯＭ３２には，ＭＦＰ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。ＮＶＲＡＭ（Non Volatile RAM）３４は，不揮発性を有する記憶手段であって，各種設定ないし画像データ等を保存する記憶領域として利用される。
【００３４】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ１００の各構成要素（例えば，画像形成部１０を構成する露光装置の点灯タイミング，用紙の搬送路を構成する各種ローラの駆動モータ（不図示），画像読取部２０を構成するイメージセンサユニットの移動用モータ（不図示））を，ＡＳＩＣ３５を介して制御する。
【００３５】
ネットワークインターフェース３６は，インターネット等のネットワークに接続され，ＰＣ等の情報処理装置との接続を可能にしている。ＦＡＸインターフェース３７は，電話回線に接続され，相手先のＦＡＸ装置との接続を可能にしている。そして，ネットワークインターフェース３６やＦＡＸインターフェース３７を介してジョブのやりとりを行うことができる。
【００３６】
［複製処理］
続いて，ＭＦＰ１００における複製処理について説明する。ＭＦＰ１００は，原稿の画像複製機能（原稿の画像読み取り，その読み取った画像データの画像形成）に加え，ＲＦＩＤタグのデータ複製機能（ＲＦＩＤタグのデータの取得，その取得したデータの書き込み）を備えている。そして，以下の説明では，片面コピーによるＲＦＩＤタグの複製指示があった場合の複製処理について説明する。
【００３７】
ＭＦＰ１００では，片面コピーによるＲＦＩＤタグの複製の動作態様を，複製指示前にあらかじめ設定する。本形態では，操作パネル４０の表示部４１に，図５に示すような設定画面を表示し，ユーザに動作態様の選択を促す。そして，ユーザがラジオボタン４１１によって１つの動作態様を選択することで動作態様が設定される。
【００３８】
具体的に本形態では，次の４つの動作態様が選択可能である。１つ目は，ＲＦＩＤ両面原稿の画像を，１枚のＲＦＩＤ用紙に両面印刷し，その原稿のＲＦＩＤタグのデータを，その用紙のＲＦＩＤタグに全複製する動作態様（以下，「動作態様Ａ」とする）である。すなわち，動作態様Ａでは，片面コピーの指示であったとしても，図６に示すように，ＲＦＩＤ両面原稿８１の両面の画像を，ＲＦＩＤ用紙８５の両面に複製する。さらに，ＲＦＩＤ両面原稿８１のＲＦＩＤタグ８２の全データを，ＲＦＩＤ用紙８５のＲＦＩＤタグ８６に複製する。動作態様Ａでは，原稿の両面画像の複製とＲＦＩＤタグの全複製とが１枚のＲＦＩＤ用紙に行われるため，データの欠落は生じない。
【００３９】
２つ目は，ＲＦＩＤ両面原稿の画像を，２枚のＲＦＩＤ用紙に分けて片面印刷し，原稿のＲＦＩＤタグのデータを，各用紙のＲＦＩＤタグに全複製する動作態様（以下，「動作態様Ｂ」とする）である。すなわち，動作態様Ｂでは，図７に示すように，ＲＦＩＤ両面原稿８１の両面の画像を，ＲＦＩＤ用紙８５とＲＦＩＤ用紙８７とに分けてそれぞれの片面に複製する。さらに，ＲＦＩＤ両面原稿８１のＲＦＩＤタグ８２の全データを，ＲＦＩＤ用紙８５のＲＦＩＤタグ８６およびＲＦＩＤ用紙８７のＲＦＩＤタグ８８に複製する。動作態様Ｂでは，原稿の画像が２枚の用紙に分かれて形成されるが，用紙同士が補完し合うことで原稿の両面の画像が記録される。また，各用紙のＲＦＩＤタグに全複製が行われるため，データの欠落は生じない。
【００４０】
３つ目は，ＲＦＩＤ両面原稿の画像を，２枚のＲＦＩＤ用紙に片面印刷し，原稿のＲＦＩＤタグのデータを，各用紙のＲＦＩＤタグに一部ずつ複製し，両ＲＦＩＤタグで全データを保持する動作態様（以下，「動作態様Ｃ」とする）である。すなわち，動作態様Ｃでは，図８に示すように，ＲＦＩＤ両面原稿８１の両面の画像を，ＲＦＩＤ用紙８５とＲＦＩＤ用紙８７とに分けてそれぞれの片面に複製する。さらに，さらに，ＲＦＩＤ両面原稿８１のＲＦＩＤタグ８２の全データを２分割し，分割した各データをＲＦＩＤ用紙８５のＲＦＩＤタグ８６とＲＦＩＤ用紙８７のＲＦＩＤタグ８８とにそれぞれ複製する。分割されたデータには，分割されたデータであることを示す情報（例えば，「前」，「後」）が追加される。動作態様Ｃでは，原稿の画像が２枚の用紙に分かれて形成されることに加え，ＲＦＩＤタグのデータも２分割されるが，分割されたデータ同士が補完し合うことで原稿のＲＦＩＤタグのデータと同じになる。そのため，データの欠落は生じない。また，全データを書き込む動作態様Ｂと比較して，書き込むデータ量が少ない。
【００４１】
４つ目は，ＲＦＩＤ両面原稿の画像を，２枚のＲＦＩＤ用紙に片面印刷し，ＲＦＩＤタグのデータの複製は行わない動作態様（以下，「動作態様Ｄ」とする）である。すなわち，ＲＦＩＤタグのデータは重要度が高い傾向にある。そこで，動作態様Ｄでは，ＲＦＩＤタグのデータの重要性を考慮し，不完全な複製指示（つまり，ＲＦＩＤ両面原稿であるにもかかわらず片面コピーの指示）の場合は，ＲＦＩＤタグのデータの複製を行わない。動作態様Ｄは，データの完全性よりも安全性を重視した態様となる。
【００４２】
ユーザによる選択結果は，ＭＦＰ１００に登録される。すなわち，選択結果がＮＶＲＡＭ３４に記憶される。そして，ＭＦＰ１００は，登録内容に従って，片面コピーによるＲＦＩＤタグの複製指示があった場合の動作を行う。なお，初期状態では，動作態様Ａがデフォルト設定されており，ユーザによる選択がない状態では動作態様Ａが優先的に選択される。
【００４３】
以下，片面コピーによるＲＦＩＤタグの複製指示があった場合の，複製処理（読取手段，形成手段，取得手段，書込手段，判断手段，制御手段の一例）の手順について，図９のフローチャートを参照しつつ説明する。なお，本処理は，ユーザによるＲＦＩＤタグの複製指示を契機に実行される。
【００４４】
まず，画像読取部２０のＲ／Ｗ装置５１によって，原稿に添付されたＲＦＩＤタグのデータを取得する（Ｓ１０１）。次に，ＲＦＩＤタグのデータが取得できたか否か，すなわち原稿にＲＦＩＤタグが添付されているか否かを判断する（Ｓ１０２）。
【００４５】
ＲＦＩＤタグのデータが取得できなかった場合には（Ｓ１０２：ＮＯ），ＲＦＩＤタグのデータの複製ができない。そこで，原稿の画像の片面コピーのみを行う。すなわち，原稿の表面の画像のみを読み取り（Ｓ１２１），用紙にその表面の画像のみを形成し（Ｓ１２２），本処理を終了する。
【００４６】
ＲＦＩＤタグのデータが取得できた場合には（Ｓ１０２：ＹＥＳ），原稿の両面読み取りを行う（Ｓ１０３）。そして，読み取った画像を解析し，原稿の裏面に画像が有るか否かを判断する（Ｓ１０４）。裏面に画像がなかった場合には（Ｓ１０４：ＮＯ），表面のみの片面コピーであったとしても画像データの欠落は生じない。そこで，画像形成部１０のＲ／Ｗ装置５２によって，用紙に添付されたＲＦＩＤタグに，Ｓ１０１で取得したＲＦＩＤタグの全データを書き込む（Ｓ１４１）。そして，その用紙に表面の画像のみを形成する（Ｓ１４２）。すなわち，ユーザの指示通り，片面コピーによるＲＦＩＤタグのデータの複製を行う。
【００４７】
裏面に画像があった場合には（Ｓ１０４：ＹＥＳ），表面のみの片面コピーでは画像データの欠落を生じる。そこで，Ｓ１０１で取得したＲＦＩＤタグのデータに，特定の情報が含まれているか否かを判断する（Ｓ１０５）。本形態では，ＲＦＩＤタグのデータに，動作態様Ａを意味する「完全複製」の情報が含まれているか否かを判断する。「完全複製」の情報が含まれている場合には（Ｓ１０５：ＹＥＳ），動作態様Ａの動作を行う。つまり，用紙に添付されたＲＦＩＤタグに，ＲＦＩＤタグの全データを書き込み（Ｓ１６１），その用紙の両面に画像を形成する（Ｓ１６２）。すなわち，「完全複製」の情報が抽出された場合には，ＭＦＰ１００に記憶されている設定よりも優先して動作態様Ａの動作を行う。これにより，ＲＦＩＤタグからの指示によって，動作態様を決定できる。
【００４８】
「完全複製」の情報が含まれていない場合には（Ｓ１０５：ＮＯ），ＭＦＰ１００に登録されている動作態様に従って，画像およびＲＦＩＤタグのデータの記録処理を行う（Ｓ１０６）。
【００４９】
図１０は，Ｓ１０６の記録処理の手順を示すフローチャートである。本記録処理では，まず，ＭＦＰ１００に登録されている動作態様を取得する（Ｓ２０１）。次に，登録されている動作態様が動作態様Ａであるか否かを判断する（Ｓ２０２）。動作態様Ａである場合には（Ｓ２０２：ＹＥＳ），用紙に添付されたＲＦＩＤタグに，ＲＦＩＤタグの全データを書き込む（Ｓ２２１）。そして，その用紙の両面に画像を形成する（Ｓ２２２）。すなわち，１枚のＲＦＩＤ用紙に，画像およびＲＦＩＤタグのデータを記録する。
【００５０】
登録されている動作態様が動作態様Ａでなければ（Ｓ２０２：ＮＯ），動作態様Ｂであるか否かを判断する（Ｓ２０３）。動作態様Ｂである場合には（Ｓ２０３：ＹＥＳ），原稿のＲＦＩＤタグの全データを，１枚目の用紙のＲＦＩＤタグに書き込む（Ｓ２４１）。そして，その用紙に原稿の表面の画像を形成する（Ｓ２４２）。次に，原稿のＲＦＩＤタグの全データを，２枚目の用紙のＲＦＩＤタグにも書き込む（Ｓ２４３）。そして，その用紙に原稿の裏面の画像を形成する（Ｓ２４４）。すなわち，原稿の両面画像を，２枚の用紙に分けて片面コピーし，各用紙のＲＦＩＤタグに原稿のＲＦＩＤタグの全データを書き込む。
【００５１】
登録されている動作態様が動作態様Ｂでなければ（Ｓ２０３：ＮＯ），動作態様Ｃであるか否かを判断する（Ｓ２０４）。動作態様Ｃである場合には（Ｓ２０４：ＹＥＳ），原稿のＲＦＩＤタグの前半部分のデータと，後半部分と組み合わせて全データとなることを示す情報とを，１枚目の用紙のＲＦＩＤタグに書き込む（Ｓ２６１）。そして，その用紙に原稿の表面の画像を形成する（Ｓ２６２）。次に，原稿のＲＦＩＤタグの後半部分のデータと，前半部分と組み合わせて全データとなることを示す情報とを，２枚目の用紙のＲＦＩＤタグに書き込む（Ｓ２６３）。そして，その用紙に原稿の裏面の画像を形成する（Ｓ２６４）。すなわち，原稿の両面画像を，２枚の用紙に分けて片面コピーし，さらに原稿のＲＦＩＤタグのデータを各用紙のＲＦＩＤタグに２分して書き込む。
【００５２】
なお，動作態様Ｃでは，ＲＦＩＤタグのデータを，表面の画像および裏面の画像と対応させて分割することが好ましい。例えば，表面に問題１から１０が記載され，裏面に問題１１から２０が記載されており，ＲＦＩＤタグには問題１から２０の答えが記憶されている場合には，表面の画像が形成される１枚目の用紙のＲＦＩＤタグには問題１から１０の答えを記憶し，裏面の画像が形成される２枚目の用紙のＲＦＩＤタグには問題１１から２０の答えを記憶するように分割する。これにより，複製された用紙の使い勝手が向上する。この場合，ＲＦＩＤタグには，表面の画像に対応するデータであるか裏面の画像に対応するデータであるかを識別できる情報があらかじめ格納されている。
【００５３】
また，ＲＦＩＤタグのデータは，必ずしも２等分する必要はない。すなわち，分割された２つのデータを補完し合うことで原稿のＲＦＩＤタグの全データを保持できていればよく，その記憶割合は問わない。つまり，図１１に示すように，１枚目の用紙８５のＲＦＩＤタグ８６に全てのデータを記憶し，２枚目の用紙８７のＲＦＩＤタグ８８には１枚目の用紙８５のＲＦＩＤタグ８６を参照する旨の情報のみを記憶するようにしてもよい。
【００５４】
登録されている動作態様が動作態様Ｃでなければ（Ｓ２０４：ＮＯ），動作態様Ｄであると判断できる。そこで，原稿の表面の画像を１枚目の用紙に形成し（Ｓ２０５），原稿の裏面の画像を２枚目の用紙に形成する（Ｓ２０６）。すなわち，ＲＦＩＤタグにアクセスすることなく本処理を終了する。
【００５５】
なお，本形態では，あらかじめ動作態様をＭＦＰ１００に登録し，複製指示後はその登録内容に従って自動的に動作態様を決定しているが，複製指示の度にユーザが手動で決定してもよい。この場合，例えばＳ２０１にてＭＦＰ１００に登録されている動作態様を取得する処理に代わり，動作態様の選択を受け付ける画面（例えば図５に示した設定画面）を表示し，ユーザからの選択を受け付ける。その後，ユーザの選択に従って動作するようにしてもよい。
【００５６】
以上詳細に説明したように本形態のＭＦＰ１００は，ＲＦＩＤタグのデータの複製の際，原稿の両面に画像があるか否かを判断し，両面に画像があると判断した場合には，片面コピーの設定にかかわらず，動作態様Ａ，Ｂ，Ｃ，Ｄのうちのいずれかを実行する。これらの動作態様のうち，動作態様Ａ，Ｂ，Ｃでは，原稿の両面画像を，１枚の用紙の両面あるいは２枚の用紙の片面ずつに分けて形成し，原稿のＲＦＩＤタグのデータを，１枚の用紙あるいは２枚の用紙に書き込む。このことから，ＭＦＰ１００の複製処理では，画像のデータとＲＦＩＤタグのデータとの両方が記憶された出力物を確実に得られる。つまり，動作態様Ａは，原稿と同じ情報を有するものが出力される完全複製であるから両データは失われない。動作態様Ｂ，Ｃは，２枚の用紙に分かれてしまい，用紙ごとの情報は不完全であるが，２枚の用紙を合わせて画像のデータとＲＦＩＤタグのデータとをすべて入手することになる。これにより，複製元である原稿のデータを失うことなく，信頼性が高い複製処理を実現できる。
【００５７】
なお，本実施の形態は単なる例示にすぎず，本発明を何ら限定するものではない。したがって本発明は当然に，その要旨を逸脱しない範囲内で種々の改良，変形が可能である。例えば，複合機（ＭＦＰ）に限らず，複写機等，原稿読取機能および画像形成機能を備えるものであれば適用可能である。また，画像形成部の画像形成方式は，電子写真方式に限らず，インクジェット方式であってもよい。また，カラー画像の形成が可能であっても，モノクロ画像専用であってもよい。
【００５８】
また，実施の形態では，原稿のＲＦＩＤタグにアクセスするＲ／Ｗ装置５１と，用紙のＲＦＩＤタグにアクセスするＲ／Ｗ装置５２とをそれぞれ設けているが，１つのＲ／Ｗ装置によって原稿のＲＦＩＤタグと用紙のＲＦＩＤタグとの両方にアクセス可能にしてもよい。
【００５９】
また，実施の形態では，４つの動作形態が選択可能であったが，これら４つの動作形態をすべて必須とするものではない。例えば，３つしか選択肢がなくてもよい。また，動作形態Ａ，Ｂ，Ｃのうちの１つが動作可能であり，動作形態の選択機能を有しないものであってもよい。すなわち，動作形態Ａ，Ｂ，Ｃのうちの少なくとも１つの動作が可能であれば，ＲＦＩＤ両面原稿のデータを失うことなく複製できる。例えば，完全複製のみをサポートするために動作態様Ａのみを実行するように構成してもよい。また，画像形成部１０が両面印刷をサポートしていない場合には動作態様Ｂ，Ｃのみを実行するように構成してもよい。
【図面の簡単な説明】
【００６０】
【図１】実施の形態にかかる複合機の概略構成を示す斜視図である。
【図２】実施の形態にかかる複合機の，画像読取部の概略構成を示す図である。
【図３】実施の形態にかかる複合機の，画像形成部の概略構成を示す図である。
【図４】実施の形態にかかる複合機の電気的構成を示すブロック図である。
【図５】ＲＦＩＤ両面原稿を，片面コピーによる複製指示で複製する際の設定画面の一例を示す図である。
【図６】ＲＦＩＤ両面原稿の画像を，１枚のＲＦＩＤ用紙に両面印刷し，原稿のＲＦＩＤタグのデータを，用紙のＲＦＩＤタグに全複製する動作態様（動作態様Ａ）のイメージを示す図である。
【図７】ＲＦＩＤ両面原稿の画像を，２枚のＲＦＩＤ用紙に片面印刷し，原稿のＲＦＩＤタグのデータを，各用紙のＲＦＩＤタグに全複製する動作態様（動作態様Ｂ）のイメージを示す図である。
【図８】ＲＦＩＤ両面原稿の画像を，２枚のＲＦＩＤ用紙に片面印刷し，原稿のＲＦＩＤタグのデータを，各用紙に一部ずつ複製し，２つのＲＦＩＤタグで全データを保持する動作態様（動作態様Ｃ）のイメージを示す図である。
【図９】片面コピーによるＲＦＩＤタグの複製指示があった場合における複製処理の手順を示すフローチャートである。
【図１０】複製処理中の記録処理の手順を示すフローチャートである。
【図１１】ＲＦＩＤ両面原稿の画像を，２枚のＲＦＩＤ用紙に片面印刷し，原稿のＲＦＩＤタグのデータを，各用紙に一部ずつ複製し，２つのＲＦＩＤタグで全データを保持する動作態様（動作態様Ｃ）の応用例のイメージを示す図である。
【符号の説明】
【００６１】
１０    画像形成部
２０    画像読取部
３０    制御部
４０    操作パネル
４１    表示部
５１    Ｒ／Ｗ装置
５２    Ｒ／Ｗ装置
１００  ＭＦＰ
【図１】
2010145853.tif 000003
【図２】
2010145853.tif 000004
【図３】
2010145853.tif 000005
【図４】
2010145853.tif 000006
【図５】
2010145853.tif 000007
【図６】
2010145853.tif 000008
【図７】
2010145853.tif 000009
【図８】
2010145853.tif 000010
【図９】
2010145853.tif 000011
【図１０】
2010145853.tif 000012
【図１１】
2010145853.tif 000013